(57)【要約】【課題】  従来のロールペーパーケースはロールペーパーのカット機能及び保持機能が複雑であるために、ロールペーパーを収納してセットすることが複雑で大変である。よって子供、老人、障害者等の人達がロールペーパーの詰め替えをすることが非常に困難である。【解決手段】  本発明のロールペーパーケースは、常時ロールペーパー（１１）をケース本体（１）に付いている板バネ式押さえ板（４）と、この板バネ式押さえ板（４）の先端と接する蓋裏面（３）に一方方向に毛足が向いた素材（５）を取り出す方向に対して並毛（６）となるように取り付けた蓋（２）によって、ケース本体（１）と蓋（２）との間で挟むといった単純な機能となる。よってロールペーパー（１１）をカットする時にいちいち蓋（２）を押さえる必要は無く片手で簡単にカットできるしカット後には絶対に逆戻りしない。【選択図】            図２
2006247022.tif 000002
【特許請求の範囲】
【請求項１】
ロールペーパーケース本体（１）のロールペーパー出し入れ口面（１２）の上辺（１３）と下辺（１４）に、ロールペーパー（１１）を蓋裏面（３）に押しつけて保持するための板バネ式押さえ板（４）を取り付け、そしてロールペーパーケースの蓋裏面（３）に、板バネ式押さえ板（４）の先端部分が当たる所に、一方方向に毛足が向いた素材（５）をロールペーパー（１１）の取り出し方向に対して並毛（６）になるように取り付けた蓋（２）を有するロールペーパーケース。
【請求項２】
刃先をギザギザ状（鋸の刃先状）にし、かつこの刃先部分をくの字に曲げたカッター（７）を、ロールペーパーケースの蓋裏（３）上端および下端の先端より刃先が少し出るようにカッター（７）を取り付けた蓋（２）を有する請求項１記載のロールペーパーケース。
【発明の詳細な説明】
【技術分野】
【０００１】
本発明は、ロールペーパーの収納ケースに関するものである。
【背景技術】
【０００２】
従来、ロールペーパー（トイレットペーパー、キッチンペーパー等）の収納ケースにおいては、ロールペーパーのカット機能及び保持機能が複雑で不十分であ。
【特許文献１】特開２００２−３４７７７９号公報
【特許文献２】特開２００２−１７６０９号公報
【特許文献３】実開平７−３９６９３号公報
【特許文献４】登録実用新案第３００９３３２号公報
【発明の開示】
【発明が解決しようとする課題】
【０００３】
解決しようとする問題点は、従来のロールペーパー用収納ケースはロールペーパーのカット機能及び保持機能が複雑であるために、ロールペーパーを収納してセットすることが複雑で大変である。よって子供、老人、障害者等の人達がロールペーパーの詰め替えをすることが非常に困難である。
【０００４】
従来のロールペーパー用収納ケースのカット機能は、蓋を押さえてロールペーパーを固定してカットしなければならないため両手を使う必要がある。また保持機能が不充分のため、カット後に激しくケースを動かすとロールペーパーが逆戻りをして次に取り出せなくなる。
【課題を解決するための手段】
【０００５】
本発明は、ロールペーパー（１１）の保持機能を、ケース本体（１）に板バネ式押さえ板（４）を取り付け、この板バネ式押さえ板（４）先端と接する蓋裏面（３）に一方方向に毛足が向いた素材（５）を取り出す方向に対して並毛（６）となるように取り付ける。よってロールペーパーケース本体（１）と蓋（２）との間で挟むといった単純な機能にする。
【０００６】
本発明は、ロールペーパー（１１）のカッター（７）の刃先をギザギザ状（鋸の刃先状）にし、かつこの刃先部分をくの字に曲げている事によりカット能力を高め、なおかつ常時ロールペーパー（１１）をケース本体（１）と蓋（２）との間で挟んでいて、取り出す時はスムーズに出て、カット後には絶対に逆戻りしない。
【発明の効果】
【０００７】
本発明のロールペーパーケースは、誰もがロールペーパーの収納及び入れ替えが簡単にセットできるバリアフリーなロールペーパーケースとなる。
【０００８】
本発明のロールペーパーケースは、常時ロールペーパー（１１）をケース本体（１）に付いている板バネ式押さえ板（４）と、この板バネ式押さえ板（４）の先端と接する蓋裏面（３）に一方方向に毛足が向いた素材（５）を取り出す方向に対して並毛（６）となるように貼り付けた蓋（２）によって挟むといった単純な機能となる。よってロールペーパー（１１）をカットする時にいちいち蓋を押さえる必要は無く片手で簡単にカットできるしカット後には絶対に逆戻りしない。
【発明を実施するための最良の形態】
【０００９】
本発明のロールペーパーケースは、ロールペーパー（１１）が収納できる大きさのケースを作成し、一面をロールペーパー出し入れ口面（１２）として開けておく。出し入れ口面（１２）の片側面からもう片側面にかけて蓋（２）をする。蓋（２）と本体ケース（１）との接合はマジックテープ（登録商標）等でする。蓋（２）の縦サイズは、出し入れ口面（１２）より多少長くする。つまり出し入れ口面（１２）の上下共に蓋（２）のほうが３cm程度長くする。この蓋（２）と出し入れ口面（１２）との間の隙間をロールペーパー（１１）の取り出す口とする。このロールペーパー（１１）の出し入れ口面（１２）の上辺（１３）と下辺（１４）に、３cm程度飛び出た蓋裏面（３）に対して圧力がかかるように板バネ式押さえ板（４）を取り付ける。この板バネ式押さえ板（４）の大きさは、縦１cm横４cm程度の長方形で角を丸くしておく。ただし板バネの素材及び圧力により大きさや形状は異なる。すなはちロールペーパー（１１）を保持する程度の抵抗がかかる圧力でよい。この板バネ式押さえ板（４）の先端と接する蓋裏面（３）に一方方向に毛足が向いた素材（５）（例えばコールテン、ベロワ、ベッチン等）を取り出す方向に対して並毛（６）となるように取り付ける。このことによりロールペーパー（１１）は取り出す時はスムーズに取り出せるし、ロールペーパー（１１）が逆戻りしようとすると、板バネ式押さえ板（４）の圧力と、板バネ式押さえ板（４）の先端が一方方向に毛足が向いた素材（５）に食い込むと同時に毛足の逆毛効果により完全にロールペーパー（１１）の逆戻りを止めることができる。蓋（２）は板バネ式押さえ板（４）の圧力に耐える程度の堅さが良い。カッター（７）は刃先をギザギザ状（鋸の刃先状）に、かつこの刃先部分をくの字に曲げた物を、蓋裏面（３）の上および下の先端より刃先が少し出るようにカッター（７）を取り付ける。本発明のロールペーパケースの本体（１）上面に吊り下げ用金具（９）と持ち運びようの手提げ紐（１０）を付ける。また蓋（２）の長さを長くすれば、ロールペーパー（１１）の保持機能とカッターとの距離が長くなるなるのでロールペーパー（１１）を取り易くなるので用途に合わせて蓋（２）の長さを変えると良い。
【産業上の利用可能性】
【００１０】
産業状の利用可能性は非常に高いと思います。理由は製作が簡単で材料の入手が簡単であるため、安価に、大量にできる、高機能で使いやすいため消費者に受け入れられる可能性が高い。
【図面の簡単な説明】
【００１１】
【図１】本ロールペーパーケースの上から見た斜視図
【図２】本ロールペーパーケースの蓋を開けた状態を上から見た斜視図
【図３】本ロールペーパーケースの横からの断面図
【図４】本ロールペーパーケースを後ろ上から見た斜視図
【符号の説明】
【００１２】
１ケース本体
２蓋
３蓋裏面
４板バネ式押さえ板
５一方方向に毛足が向いている素材
６並毛方向
７カッター
８マジックテープ（登録商標）
９吊り下げ金具
１０手提げ紐
１１ロールペーパー
１２ロールペーパー出し入れ口
１３ロールペーパー出し入れ口の上辺
１４ロールペーパー出し入れ口の下辺
【図１】
2006247022.tif 000003
【図２】
2006247022.tif 000004
【図３】
2006247022.tif 000005
【図４】
2006247022.tif 000006